(57)【要約】【課題】セードを着脱する際の操作性を向上できる照明器具を提供することにある。【解決手段】外周面に外ネジ部２ａａが設けられると共に一端側が天井に取り付けられるソケット２と、開口を有しこの開口にソケット２が挿通されてランプの周を略覆うセード４と、外ネジ部２ａａと螺合され締め付けることによりソケット２との間でセード４を挟持するホルダナット３と、を備えた照明器具において、ソケット２の外ネジ部２ａａの上側に仮置き部６を設け、この仮置き部６にソケット２が挿通する開口部５ａを有した仮止め部材５の開口周縁を載置し、この仮止め部材５の上にセード４を保持し、この状態でホルダナット３をソケット２に締め付けることによりホルダナット３とソケット２の間でセード４と仮止め部材５を挟持してなる照明器具。【選択図】        図１
2004200086.tif 000002
【特許請求の範囲】
【請求項１】
外周面に外ネジ部が設けられると共に一端側が天井に取り付けられるソケットと、開口を有しこの開口に前記ソケットが挿通されてランプの周を略覆うセードと、前記外ネジ部と螺合され締め付けることにより前記ソケットとの間で前記セードを挟持するホルダナットと、を備えた照明器具において、前記ソケットの外ネジ部の上側に仮置き部を設け、この仮置き部にソケットが挿通する開口部を有した仮止め部材の開口周縁を載置し、この仮止め部材の上に前記セードを保持し、この状態で前記ホルダナットを前記ソケットに締め付けることにより前記ホルダナットと前記ソケットの間で前記セードと前記仮止め部材を挟持してなる照明器具。
【請求項２】
前記ソケットに設けられた仮置き部は、前記ソケットの外周に設けられた鍔状のものであることを特徴とする請求項１記載の照明器具。
【請求項３】
前記仮止め部材は、開口部の中心に向かって突出する凸状の載置部を有し、前記仮置き部は、外周の一部に前記凸状の載置部が上下に貫通する切り欠き部を有し、前記凸状の載置部が前記切り欠き部を貫通して前記仮置き部に載置されるものであることを特徴とする請求項２記載の照明器具。
【請求項４】
前記ソケットに外ネジ部の一部が凹状に陥没した凹状溝を上下方向に設け、この凹状溝に前記凸状の載置部がガイドされて前記切り欠き部に到達するものであることを特徴とする請求項３記載の照明器具。
【請求項５】
前記切り欠き部の近傍に前記仮置き部から上方向に突出する滑り落ち防止リブを設け、前記仮止め部材の凸状の載置部は、前記滑り落ち防止リブの上を超えて前記仮置き部に載置されるものであることを特徴とする請求項３又は４記載の照明器具。
【請求項６】
前記ホルダナットを締め付けるときの回転方向であって前記滑り落ち防止リブから所定の間隔に前記滑り落ち防止リブよりも高い回転止め用当接壁を設け、前記凸状の載置部が前記仮置き部の上面で摺動する範囲を前記所定の間隔で規制したことを特徴とする請求項５記載の照明器具。
【請求項７】
前記回転止め用当接壁と前記滑り落ち防止リブの間に前記回転止め用当接壁と対向する固定用リブを設け、前記仮置き部に前記凸状の載置部を載置した状態で、前記ホルダナットを締め付けることにより、前記固定用リブの下方を前記凸状の載置部が回転方向に通過して前記回転止め用当接壁で当接され、さらに、前記固定用リブと前記回転止め用当接壁との間で前記凸状の載置部が上昇するものであることを特徴とする請求項６記載の照明器具。
【請求項８】
前記凸状の載置部は、前記回転止め用当接壁に当接し、この回転止め用当接壁にガイドされながら前記仮止め部材が上昇するものであることを特徴とする請求項７記載の照明器具。
【請求項９】
前記滑り落ち防止リブの上に前記凸状の載置部を載せたときの前記凸状の載置部の上端の位置が前記固定用リブの下端の位置よりも高いものであることを特徴とする請求項７又は８記載の照明器具。
【発明の詳細な説明】
【０００１】
【発明の属する技術分野】
本発明は、ソケットとこのソケットに螺合するホルダナットと、を備え、ホルダナットをソケットに螺合することによりセードを保持する照明器具に関する。
【０００２】
【従来の技術】
この種の照明器具としては、特開平８−３６９１２号公報に開示されたものがある。図９は、これに開示された照明器具の分解斜視図、図１０は、要部を示した斜視図である。このものは、外周面に外ネジ部２ａが設けられると共に一端側がソケット支持部材を介して天井面に取り付けられるソケット２と、外ネジ部２ａに螺合する内ネジ３ａを有するホルダナット３と、上側にソケット２が挿通する開口４ａを有しソケット２に装着されたランプ９の周を略覆うと共に開口周縁部がホルダナット３の一端側に載置されて取り付けられるセード４と、を備えて構成されている。
【０００３】
これを詳しく説明すると、ソケット２は、ホルダナット３の内ネジ３ａのネジ山に引っ掛かる寸法の突起２ｃを、その外周の１８０度方向に位置させて１対設けて形成している。
【０００４】
ホルダナット３は、略中央部の円筒状の部分に、ソケット２の外ネジ２ａに螺合する内ネジ３ａを有するものである。そして、ホルダナット３の下側の内ネジ部３ａに、ソケット２の突起２ｃと対向させて内ネジ部２ａと垂直方向であってホルダナット３の略中央部まで伸び突起２ｃが通過する第１の凹部３ｅを設けると共に、ホルダナット３の上側の内ネジ部２ａの第１の凹部３ｅより上側に、突起２ｃが通過し第１の凹部３ｅとホルダナット３の周方向に位置をずらした第２の凹部３ｆを設けている。そして、ホルダナット３の略中央部で第１の凹部３ｅと第２の凹部３ｆとをネジ方向に連通させて構成し、このように構成されたホルダナット３とソケット２の突起２ｃにより、ホルダナット３が一時的に係止される一時係止手段を構成している。
【０００５】
このように構成された照明器具においては、天井に取り付けられたソケット２にセード４を装着する際には、セード４の開口４ａにソケット２を挿通させ、セード４の内側にホルダナット３を配設し、ソケット２の第２の凹部３ｆとソケット２の突起２ｃとを合わせて押し上げ、それをさらに回転させて突起２ｃを第１の凹部３ｅに導けば、ホルダナット３が突起２ｃにより係止される。さらに、それを押し上げてホルダナット３の内ネジ３ａをソケット２の外ネジ２ａに螺合させて装着を行うことにより取り付けが完了するものとなる。また、取り外しに際しては、その反対の作業を行えばよい。
【０００６】
このものは、セード４を取り外す際には、ホルダナット３がソケット２から離脱する直前で、ソケット２の突起２ｃがホルダナット３の内ネジ３ａに設けた第１の凹部３ｅに係合して、その上方に位置する内ネジ３ａのネジ山に引っ掛かってホルダナット３がソケット２に一時的に係止されて脱落せず、このため、ホルダナット３により取り付けられた部品（セード４）の落下が防げ、また、ホルダナット３のソケット２からの離脱位置を直前で知ることができ、その後にホルダナット３を回転させて突起２ｃを第２の凹部３ｆに導けばホルダナットの取り外しができて、セード４の取り外し時の操作性が向上する。また、その装着に際しても、ホルダナット３がソケット２に仮係止されてセード４の装着時の操作性も向上するものとなる。
【０００７】
【特許文献１】
特開平８−３６９１２号公報
【０００８】
【発明が解決しようとする課題】
ところが前記した照明器具では、ソケット２の突起２ｃは、ホルダナット３の内周面に設けられた第１の凹部３ｅや第２の凹部３ｆを通過することになるので、ホルダナット３がソケット２の突起２ｃに嵌合されるときやその嵌合が外れるときが、目視では、確認しづらいものとなっていた。また、ホルダナット３の嵌合が外れるまでセード４の重量がわからないままとなることがあり、その結果、セード４が重いものである場合は、その重量が一気にかかることになるので、セード４に重いものを使うには、他の配慮が必要なものとなっていた。
【０００９】
本発明は、上記事由に鑑みてなしたもので、その目的とするところは、セードを着脱する際の操作性を向上できる照明器具を提供することにある。
【００１０】
【課題を解決するための手段】
請求項１に係る発明の照明器具は、外周面に外ネジ部が設けられると共に一端側が天井に取り付けられるソケットと、開口を有しこの開口に前記ソケットが挿通されてランプの周を略覆うセードと、前記外ネジ部と螺合され締め付けることにより前記ソケットとの間で前記セードを挟持するホルダナットと、を備えた照明器具において、前記ソケットの外ネジ部の上側に仮置き部を設け、この仮置き部にソケットが挿通する開口部を有した仮止め部材の開口周縁を載置し、この仮止め部材の上に前記セードを保持し、この状態で前記ホルダナットを前記ソケットに締め付けることにより前記ホルダナットと前記ソケットの間で前記セードと前記仮止め部材を挟持してなることを特徴とする。
【００１１】
請求項２に係る発明の照明器具は、請求項１において、前記ソケットに設けられた仮置き部は、前記ソケットの外周に設けられた鍔状のものであることを特徴とする。
【００１２】
請求項３に係る発明の照明器具は、請求項２において、前記仮止め部材は、開口部の中心に向かって突出する凸状の載置部を有し、前記仮置き部は、外周の一部に前記凸状の載置部が上下に貫通する切り欠き部を有し、前記凸状の載置部が前記切り欠き部を貫通して前記仮置き部に載置されるものであることを特徴とする。
【００１３】
請求項４に係る発明の照明器具は、請求項３において、前記ソケットに外ネジ部の一部が凹状に陥没した凹状溝を上下方向に設け、この凹状溝に前記凸状の載置部がガイドされて前記切り欠き部に到達するものであることを特徴とする。
【００１４】
請求項５に係る発明の照明器具は、請求項３又は４において、前記切り欠き部の近傍に前記仮置き部から上方向に突出する滑り落ち防止リブを設け、前記仮止め部材の凸状の載置部は、前記滑り落ち防止リブの上を超えて前記仮置き部に載置されるものであることを特徴とする。
【００１５】
請求項６に係る発明の照明器具は、請求項５において、前記ホルダナットを締め付けるときの回転方向であって前記滑り落ち防止リブから所定の間隔に前記滑り落ち防止リブよりも高い回転止め用当接壁を設け、前記凸状の載置部が前記仮置き部の上面で摺動する範囲を前記所定の間隔で規制したことを特徴とする。
【００１６】
請求項７に係る発明の照明器具は、請求項６において、前記回転止め用当接壁と前記滑り落ち防止リブの間に前記回転止め用当接壁と対向する固定用リブを設け、前記仮置き部に前記凸状の載置部を載置した状態で、前記ホルダナットを締め付けることにより、前記固定用リブの下方を前記凸状の載置部が回転方向に通過して前記回転止め用当接壁で当接され、さらに、前記固定用リブと前記回転止め用当接壁との間で前記凸状の載置部が上昇するものであることを特徴とする。
【００１７】
請求項８に係る発明の照明器具は、請求項７において、前記凸状の載置部は、前記回転止め用当接壁に当接し、この回転止め用当接壁にガイドされながら前記仮止め部材が上昇するものであることを特徴とする。
【００１８】
請求項９に係る発明の照明器具は、請求項７又は８において、前記滑り落ち防止リブの上に前記凸状の載置部を載せたときの前記凸状の載置部の上端の位置が前記固定用リブの下端の位置よりも高いものであることを特徴とする。
【００１９】
【発明の実施の形態】
（第１の実施の形態）
本発明の請求項１〜４に対応した第１の実施の形態を図１〜図３を用いて説明する。図１は照明器具のセードの一部を切り欠いた分解斜視図、図２はこれの組み立て途中の図で、セードの一部を切り欠いた斜視図、図３は照明器具の組立てが終了した図で、セードの一部を切り欠いた斜視図である。
【００２０】
この照明器具は、外周面に外ネジ部２ａａが設けられると共に一端側が天井に取り付けられるソケット２と、開口４ａを有しこの開口４ａにソケット２が挿通されてランプの周を略覆うセード４と、外ネジ部２ａａと螺合され締め付けることによりソケット２との間でセード４を挟持するホルダナット３と、ソケット２が挿通する開口部５ａを有した仮止め部材５と、を備えて構成されている。
【００２１】
ソケット２は、略円筒状をなしたソケット部と、ソケット部の上端に設けられた天板部と、を備えている。天板部は、その周囲が垂下しており、垂下した下端には、セード４の開口４ａの周縁が当接する当接部２ｋが、リング状に形成されている。また、ソケット部は、外ネジ部２ａａが設けられたソケットカバー２ａと、この内側にソケットカバー２ａと略同軸に設けられたランプソケット２ｂと、を備えている。
【００２２】
ソケットカバー２ａは、金属や合成樹脂などの材料で形成されており、ソケットカバー２ａの外ネジ部２ａａの上側には、仮置き部６が設けられている。仮置き部６は、ソケットカバー２ａの外周に設けられた鍔状のものであり、鍔状の仮置き部６の一部は、後述する凸状の載置部５ｂが上下に貫通する切り欠き部６ａが、ソケットカバー２ａの外周の１８０度の位置に、２箇所、設けられている。また、外ネジ部２ａａの一部には、凹状に陥没した凹状溝２ａｂが、ソケットカバー２ａの外周のおよそ１８０度の位置に、２箇所、略上下に形成されている。この凹状溝２ａｂは、後術する凸状の載置部５ｂがガイドされて上下に通過するように設けられた溝であり、凹状溝２ａｂの上端は、切り欠き部６ａに通じている。また、ランプソケット２ｂの内周面には、所謂Ｅベース口金のランプが螺号するような内ネジが設けられており、ランプに電力が供給できるようになっている。なお、ここでは、ソケット２を、ソケットカバー２ａと、ランプソケット２ｂと、の別々の部材に分けているが、これは一体のものでもかまわない。
【００２３】
セード４は、透光性を有したガラスや合成樹脂で形成されており、その下部は、ホルダナット３がソケット２に螺号できるような開口４ｘを備えている。
【００２４】
ホルダナット３は、下部が略円筒状をなし、その円筒の上部が略逆円錐台状に広がっている。略円筒状をなした内側には、外ネジ部２ａと螺合される内ネジを有するとともに、略逆円錐台状に広がった上端には、仮止め部材５の開口周縁を載置する当接部が設けられている。
【００２５】
仮止め部材５は、板状部材で中央にソケットが挿通する開口部５ａを有した
ドーナツ型に形成されている。そして、開口部５ａの周縁には、中心に向かって突出する凸状の載置部５ｂが一対、開口部５ａの内周の１８０°の位置に形成されている。そして、この凸状の載置部５ｂは、前記したようにソケットカバー２ａの凹状溝２ａｂにガイドされるので、これに適した形状を有している。
【００２６】
次に、この照明器具のセード４の取り付けを説明する。まず、ソケット２がセード４の開口４ａを挿通するように、セード４を持ち上げる。さらに、この状態で、仮止め部材５の一対の凸状の載置部５ｂをソケットカバー２ａの２箇所の凹状溝２ａｂの下端にあわせる。これより凸状の載置部５ｂは、凹状溝２ａｂにガイドされる。この状態で仮止め部材５を押し上げると、凸状の載置部５ｂは、凹状溝２ａｂに沿ってソケットカバー２ａの切り欠き部６ａに到達する。さらに、仮止め部材５を回転させると、凸状の載置部５ｂは、仮置き部６に載置される。これにより仮止め部材５の開口部５ａにソケット２が挿通され、仮止め部材５の開口周縁、すなわち凸状の載置部５ｂの仮置き部６への載置が終了し、セード４は、仮止め部材５の上で保持されるものとなる。（図２の状態）
さらに、ホルダナット３をソケット２（ソケットカバー２ａ）に締め付ける。このときセード４は、仮止め部材５の上で保持されているので、必ず手で支える必要はなく、むしろ、ソケット２を持って、ソケット２がホルダナット３の回転方向に回転しないようにすればよい。このようにしてホルダナット３を締め付けていくとホルダナット３が上昇して行く。なお、ホルダナット３を締め付けるときは、ホルダナット３が仮止め部材５に当接するまでは、セード４の重量がホルダナット３に加わらないので軽く締め付けられるものとなる。さらに、ホルダナット３を締め付けると、やがてホルダナット３は、仮止め部材５に当接し、ホルダナット３の締め付けと同時に仮止め部材５も上昇し、やがてはホルダナット３の上端とソケット２の当接部２ｋとの間で、セード４と仮止め部材５とが挟持されて、セード４の取り付けが完了する。（図３の状態）
また、セード４を取り外すときは、前記したものと逆の手順で行なえばよく、ポイントは、以下の通りである。すなわち、ホルダナット３を緩めるときは、セード４が仮止め部材５によって保持されているので、必ず手で支える必要はなく、むしろ、ソケット２を持って、ソケット２がホルダナット３の回転方向に回転しないようにすればよい。また、ホルダナット３の仮止め部材５との当接が離れた後においては、セード４の重量がホルダナット３に加わらないので、ホルダナット３を軽く緩めることができる。さらに、ホルダナット３をソケット２から外すときは、セード４が仮止め部材５によって保持されているので、セード４の重量を気にせずにホルダナット３をソケット２から外せばよい。最後に、片手でセード４を持ち上げながら仮止め部材５を回転させ、凸状の載置部５ｂを切り欠き部６ａに合わせて、仮止め部材５を外し、さらにセード４を外せばよい。なお、このときセード４を回転させることにより仮止め部材５を回転させてもよい。なお、セード４の重量が加わるのは、凸状の載置部５ｂが切り欠き部６ａの位置に合致したときであるので、切り欠き部６ａより凸状の載置部５ｂを目視して、セード４が外れるとき、すなわちセード４の重量が加わるときを認識すればよい。
【００２７】
この実施の形態によると、ソケット２の外ネジ部２ａａの上側に仮置き部６を設け、この仮置き部６にソケット２が挿通する開口部５ａを有した仮止め部材５の開口周縁を載置し、この仮止め部材５の上にセード４を保持し、この状態でホルダナット３をソケット２に締め付けることによりホルダナット３とソケット２の間でセード４と仮止め部材５を挟持したことにより、セード４を仮止め部材５により簡単な操作で仮置きできるので、その後のホルダナット３の締め付けを、セード４を片手で支えながら行なわなくてもできるようになるうえに、ホルダナット３を締め付ける力を軽いものとすることができる。また、セード４を取り外す場合においても、ホルダナット３を緩める力を軽いものとすることができ、さらにホルダナット３がソケット２から外れるときも、セード２の力が加わらないものとなるので、セード４を着脱する際の操作性を向上できるものとなる。
【００２８】
なお、照明器具が天井面より吊り下げられているような場合は、ホルダナット３を締め付けるさいに、片手でソケット２を持つことができ、従来、ホルダナット３の回転と同時にソケット２が回転していたものを防止できるので、さらにセード４を着脱する際の操作性を向上できるものとなる。
【００２９】
また、ソケット２に設けられた仮置き部６は、ソケット２の外周に設けられた鍔状のものであることにより、仮置き部６を容易に形成でき、また仮止め部材５の開口周縁を載置しやすいものとすることができる。
【００３０】
また、仮止め部材５は、開口部５ａの中心に向かって突出する凸状の載置部５ｂを有し、仮置き部６は、外周の一部に凸状の載置部５ｂが上下に貫通する切り欠き部６ａを有し、凸状の載置部５ｂが切り欠き部６ａを貫通して仮置き部６に載置されるものであることにより、凸状の載置部５ｂが切り欠き部６ａを貫通して、これを回転させることにより、凸状の載置部５ｂを仮置き部６に載置できるものとなるので、簡単な操作で着脱できるものとなる。また、セード４を取り外すさいは、切り欠き部６ａから凸状の載置部５ｂが目視にて確認できるので、凸状の載置部５ｂが外れるとき、すなわち仮止め部材５が外れ、セード４の重量が加わるときが目視によりわかるものとなる。
【００３１】
また、ソケット２に外ネジ部２ａａの一部が凹状に陥没した凹状溝２ａｂを上下方向に設け、この凹状溝２ａｂに凸状の載置部５ｂがガイドされて切り欠き部６ａに到達するものとしたことにより、凸状の載置部５ｂの先端を仮止め部材５の開口部５ａから、ソケット２の軸方向に、より突出させることができるので、凸状の載置部５ｂが、より確実に仮置き部６に係合されるものとなる。
【００３２】
なお、この仮止め部材５は、セード４と一体になっているものでもよく、特に、セード４の開口４ｘに凸状の載置部５ｂが備えられていれば同様に扱えるものとなる。また、この実施の形態においては、凸状の載置部５ｂや凹状溝２ａｂは、その外周の１８０°の位置に２個もうけているが、例えば、１２０°の位置に３個設けたものであってもよい。
【００３３】
（第２の実施の形態）
本発明の第２の実施の形態を図４〜図８を用いて説明する。図４〜図６は、セードを取り付けるときの仮止め部材の動きを示す図で、図４は仮止め部材にソケットを挿通させる前の要部斜視図、図５は仮止め部材が仮置き部に載置されるときの動きを説明する要部斜視図、図６は仮止め部材が仮置き部に載置されてから取り付けが完了するまでを説明する要部斜視図である。また、図７、図８はセードを外すときの仮止め部材の動きを示す図で、図７は取り付け完了状態から仮止め部材が仮置き部に載置されるまでの動きを説明する要部斜視図、図８は仮止め部材が仮置き部から外されるときの動きを説明する要部斜視図である。なお、図４〜図８では、仮止め部材５の上に保持されているセードは図示されていないが、これは、説明上、図を見やすくするために省略したものであり、第１の実施の形態で説明したものと同じものが使われているものとする。また、ソケット２の外ネジ部や、外ネジ部の一部に設けられた凹状に陥没した凹状溝も図示されていないが、いずれの図においても省略しているものであり、第１の実施の形態で説明したものと同じものが使われているものとする。
【００３４】
この照明器具は、第１の実施の形態における、仮止め部材５が仮置き部６の上にあるときの仮止め部材５の動きを規制する部材を追加したものである。このものは、外周面に外ネジ部が設けられると共に一端側が天井に取り付けられるソケット２と、開口を有しこの開口にソケットが挿通されてランプの周を略覆うセード（図示せず）と、外ネジ部と螺合され締め付けることによりソケット２との間でセード（図示せず）を挟持するホルダナット３と、ソケット２が挿通する開口部５ａを有した仮止め部材５と、を備えて構成されている。
【００３５】
このものにおいて重要なことは、切り欠き部６ａの近傍に仮置き部６から上方向に突出する滑り落ち防止リブ６ｂを設けたこと。さらに、仮止め部材５の凸状の載置部５ｂは、滑り落ち防止リブ６ｂの上を超えて仮置き部６に載置されることである。また、ホルダナット３を締め付けるときの回転方向、すなわち図６の矢印ＸＸの方向であって、滑り落ち防止リブ６ｂから所定の間隔に滑り落ち防止リブ６ｂよりも高い回転止め用当接壁７を設け、凸状の載置部５ｂが仮置き部６の上面で摺動する範囲を所定の間隔で規制したことである。
【００３６】
また、回転止め用当接壁７と滑り落ち防止リブ６ｂの間に回転止め用当接壁７と対向する固定用リブ８を設け、仮置き部６に凸状の載置部５ｂを載置した状態で、ホルダナット３を締め付けることにより、固定用リブ８の下方を凸状の載置部５ｂが回転方向すなわちＸＸの方向に通過して回転止め用当接壁７で当接され、さらに、固定用リブ８と回転止め用当接壁７との間で凸状の載置部５ｂが上昇するものであることである。また、凸状の載置部５ｂは、固定用リブ８と回転止め用当接壁７との間でガイドされながら仮止め部材５が上昇するものであることである。さらに、滑り落ち防止リブ６ｂの上に凸状の載置部５ｂを載せたときの凸状の載置部５ｂの上端の位置が固定用リブ８の下端の位置よりも高いものであることである。
【００３７】
これらを詳しく述べると、滑り落ち防止リブ６ｂや回転止め用当接壁７や固定用リブ８は、いずれのものも、ソケット２具体的には、金属や合成樹脂などの材料で形成されたソケットカバー２ａの外周に形成されている。滑り落ち防止リブ６ｂは、切り欠き部６ａの端に真上に形成され、凸状の載置部５ｂが滑り落ちないような高さに形成され、ここでは凸状の載置部５ｂの高さ寸法よりも高いものとなっている。また、滑り落ち防止リブ６ｂのソケットカバー２ａに対する直径方向の突出量は、仮置き部６の鍔状に突出した突出量と同じものになっている。
【００３８】
また、回転止め用当接壁７は、仮置き部６からソケットカバー２ａの外周に沿って上方向に形成されている。そして、その高さは、ソケットカバー２ａの当接部２ｋと略同じ高さになるように設けられている。また、ソケットカバー２ａに対する直径方向の突出量は、仮置き部６の鍔状に突出した突出量よりは少し少ないが、ほぼ同じぐらいのものとなっている。また、固定用リブ８は、ソケットカバー２ａの外周に沿って、当接部２ｋと略同じ高さから下方に向かって形成されている。そして、固定用リブ８の下端と仮置き部６の上面との隙間は、凸状の載置部５ｂの高さ（厚み）よりも大きいものになっている。なお、ここでは固定用リブ８の下端と滑り落ち防止リブ６ｂの上端がほぼ同じ高さ方向の位置になっている。その他の第１の実施の形態と同一の構成部材には同一符号を付すことにより説明を省略する。
【００３９】
次に、この照明器具のセードの取り付けを説明する。まず、ソケット２がセード（図示せず）の開口を挿通するように、セードを持ち上げる。さらに、この状態で、仮止め部材５の一対の凸状の載置部５ｂをソケットカバー２ａの２箇所の凹状溝（図示せず）の下端にあわせる。（図４の状態）これより凸状の載置部５ｂは、凹状溝にガイドされる。この状態で仮止め部材５を押し上げると、凸状の載置部５ｂは、凹状溝２ａｂに沿ってソケットカバー２ａの切り欠き部６ａに到達する。（図５における凸状の載置部５ｂがＡの状態）ここでさらに仮止め部材５を押し上げ、滑り落ち防止リブ６ｂの上端よりも上に凸状の載置部５ｂを位置させる。（図５における凸状の載置部５ｂがＢの状態）ここで仮止め部材５をホルダナット３の締め付け方向に回転させると、凸状の載置部５ｂは、滑り落ち防止リブ６ｂの上を超えて固定用リブ８に当接し、ここで仮止め部材５を下げると、仮止め部材５は仮置き部６の上に載置されるものとなる。（図５における凸状の載置部５ｂがＣの状態）
次に、ホルダナット３をソケット２（ソケットカバー２ａ）に締め付ける。このときセードは、仮止め部材５の上で保持されているので、必ずしも手で支える必要はなく、むしろ、ソケット２を持って、ソケット２がホルダナット３の回転方向に回転しないようにすればよい。このようにしてホルダナット３を締め付けていくとホルダナット３が上昇していき、やがてホルダナット３は、仮止め部材５に当接する。さらにホルダナット３を締め付けると仮止め部材５が、締め付け方向、すなわちＸＸの方向に移動する。これにより固定用リブ８の下方を凸状の載置部５ｂが回転方向すなわちＸＸの方向に通過して回転止め用当接壁７で当接される。さらにホルダナット３を締め付けると固定用リブ８と回転止め用当接壁７との間で凸状の載置部５ｂがガイドされながら仮止め部材５が上昇していき、やがてはホルダナット３の上端とソケット２の当接部２ｋとの間で、セード４と仮止め部材５とが挟持されて、セード４の取り付けが完了する。（図６における凸状の載置部５ｂがＤの状態）
また、セード４を取り外すときは、前記したものと逆の手順で行なえばよい。すなわち、ホルダナット３を緩めると固定用リブ８と回転止め用当接壁７との間で凸状の載置部５ｂがガイドされながら仮止め部材５が下降していく。このとき凸状の載置部５ｂは、固定用リブ８があるので固定用リブ８に沿って下降する。そして、凸状の載置部５ｂの上端が固定用リブ８の下端よりも低くなったとときに、凸状の載置部５ｂがＹＹで示した方向に移動する。このとき凸状の載置部５ｂの下端は、滑り落ち防止リブ６ｂの上端よりも高い位置にあるので、凸状の載置部５ｂは、滑り落ち防止リブ６ｂに当接して、切り欠き部６ａには、行かないものとなる。さらにホルダナット３を緩めると凸状の載置部５ｂは、仮置き部６の上に載置され、この上を摺動して、滑り落ち防止リブ６ｂに当接し、これ以上、凸状の載置部５ｂがＹＹで示した方向に移動しないものとなる。この状態でホルダナット３をさらに緩めてソケット２から取り外す。この状態では、セードは、仮止め部材５に保持されたままである。次に、仮止め部材５とセードを持ち上げて凸状の載置部５ｂを図８で示したＡ→Ｂ→Ｃの順で移動して、仮止め部材５を仮置き部６から取り外す。これによりセードの取り外しが終了する。
【００４０】
この実施の形態によると、切り欠き部６ａの近傍に仮置き部６から上方向に突出する滑り落ち防止リブ６ｂを設け、仮止め部材５の凸状の載置部５ｂは、滑り落ち防止リブ６ｂの上を超えて仮置き部６に載置されるものであることにより、仮止め部材５は、セード４と一緒に持ち上げて、滑り落ち防止リブ６ｂの上を超えない限りは、仮置き部６から取り外せないものとなるので、着脱のさいにセードが不意にソケット２より落下することがなくなる。さらに、セードを外す際は、必ずセードを持ち上げることになるので、セードを外す前にその重量がわかるものとなり、セードの重量がわからないままに、その重量が一気にかかるということがないものとなる。
【００４１】
また、ホルダナット３を締め付けるときの回転方向であって滑り落ち防止リブ６ｂから所定の間隔に滑り落ち防止リブ６ｂよりも高い回転止め用当接壁７を設け、凸状の載置部５ｂが仮置き部６の上面で摺動する範囲を所定の間隔で規制したことにより、仮止め部材５が仮置き部６の上面で回転することがなくなり、セードが取り付けやすいものとなる。またセードを取り外す際も、仮止め部材５が仮置き部６の上面で回転する範囲が少なくなるので、取り外しやすいものとなる。
【００４２】
また、回転止め用当接壁７と滑り落ち防止リブ６ｂの間に回転止め用当接壁７と対向する固定用リブ８を設け、仮置き部６に凸状の載置部５ｂを載置した状態で、ホルダナット３を締め付けることにより、固定用リブ８の下方を凸状の載置部５ｂが回転方向に通過して回転止め用当接壁７で当接され、さらに、固定用リブ８と回転止め用当接壁７との間で凸状の載置部５ｂが上昇するものであることにより、さらに仮止め部材５が仮置き部６の上面で回転することがなくなるので、さらにセードが取り付けやすいものとなる。またセードを取り外す際も、仮止め部材５が固定用リブ８の当接してガイドされながら凸状の載置部５ｂが下降するので、凸状の載置部５ｂが仮置き部６の上面で回転する範囲がさらに少なくなるので、さらに取り外しやすいものとなる。
【００４３】
また、凸状の載置部５ｂは、固定用リブ８と回転止め用当接壁７との間でガイドされながら仮止め部材５が上昇するものであることにより、ガイドされている間は仮止め部材５ががたつかず、さらに操作性を向上できるものとなる。
【００４４】
滑り落ち防止リブ６ｂの上に凸状の載置部５ｂを載せたときの凸状の載置部５ｂの上端の位置が固定用リブ８の下端の位置よりも高いものであることにより、ホルダナット３を緩めている途中で凸状の載置部５ｂが切り欠き部６ａの上にくることがなくなるので、ホルダナット３をソケットカバー２より取り外すときにセードの重量が一気にかかるということがないものとなる。
【００４５】
なお、第１の実施の形態、第２の実施の形態ともに、ソケット２に外ネジ部の一部が凹状に陥没した凹状溝２ａｂを上下に設け、この凹状溝ａｂに凸状の載置部５ｂがガイドされて切り欠き部６ａに到達するものとして説明したが、どちらの実施の形態においても凹状溝２ａｂは、ないものであってもかまわない。但し、この場合は、凸状の載置部５ｂの突出量が少なくなるが、仮止め部材５の開口部５ａとソケット２（ソケットカバー２ａ）の外周との遊び（隙間）も考慮のうえ、仮置き部５との係合が十分確保できるのであればとくに問題はないものである。
【００４６】
【発明の効果】
請求項１記載の発明にあっては、外周面に外ネジ部が設けられると共に一端側が天井に取り付けられるソケットと、開口を有しこの開口に前記ソケットが挿通されてランプの周を略覆うセードと、前記外ネジ部と螺合され締め付けることにより前記ソケットとの間で前記セードを挟持するホルダナットと、を備えた照明器具において、前記ソケットの外ネジ部の上側に仮置き部を設け、この仮置き部にソケットが挿通する開口部を有した仮止め部材の開口周縁を載置し、この仮止め部材の上に前記セードを保持し、この状態で前記ホルダナットを前記ソケットに締め付けることにより前記ホルダナットと前記ソケットの間で前記セードと前記仮止め部材を挟持してなることにより、セードを仮止め部材により簡単な操作で仮置きできるので、その後のホルダナットの締め付けを、セードを片手で支えながら行なわなくてもできるようになる。また、ホルダナットがソケットから外れるときも、セードの力が加わらないものとなるので、セードを着脱する際の操作性を向上できるものとなる。
【００４７】
請求項２記載の発明にあっては、前記ソケットに設けられた仮置き部は、前記ソケットの外周に設けられた鍔状のものであることにより、請求項１に記載した効果を奏するうえに、仮置き部を容易に形成でき、また仮止め部材の開口周縁を載置しやすいものとすることができる。
【００４８】
請求項３記載の発明にあっては、前記仮止め部材は、開口部の中心に向かって突出する凸状の載置部を有し、前記仮置き部は、外周の一部に前記凸状の載置部が上下に貫通する切り欠き部を有し、前記凸状の載置部が前記切り欠き部を貫通して前記仮置き部に載置されるものであることにより、請求項２に記載した効果を奏するうえに、凸状の載置部が切り欠き部を貫通して、これを回転させることにより、凸状の載置部を仮置き部に載置できるものとなるので、簡単な操作で着脱できるものとなる。
【００４９】
請求項４記載の発明にあっては、前記ソケットに外ネジ部の一部が凹状に陥没した凹状溝を上下方向に設け、この凹状溝に前記凸状の載置部がガイドされて前記切り欠き部に到達するものであることにより、請求項３に記載した効果を奏するうえに、凸状の載置部５ｂの先端を仮止め部材５の開口部５ａから、ソケット２の軸方向に、より突出させることができるので、凸状の載置部が、より確実に仮置き部に係合されるものとなる。
【００５０】
請求項５記載の発明にあっては、前記切り欠き部の近傍に前記仮置き部から上方向に突出する滑り落ち防止リブを設け、前記仮止め部材の凸状の載置部は、前記滑り落ち防止リブの上を超えて前記仮置き部に載置されるものであることにより、請求項３又は４に記載した効果を奏するうえに、仮止め部材は、セードと一緒に持ち上げて、滑り落ち防止リブの上を超えないと仮置き部６から取り外せないものとなるので、着脱のさいにセードが不意にソケットより落下することがなくなる。さらに、セードを外すさいは、必ずセードを持ち上げることになるので、セードを外す前にその重量がわかるものとなり、セードの重量がわからないままに、その重量が一気にかかるということがないものとなる。
【００５１】
請求項６記載の発明にあっては、前記ホルダナットを締め付けるときの回転方向であって前記滑り落ち防止リブから所定の間隔に前記滑り落ち防止リブよりも高い回転止め用当接壁を設け、前記凸状の載置部が前記仮置き部の上面で摺動する範囲を前記所定の間隔で規制したことにより、請求項５に記載した効果を奏するうえに、仮止め部材が仮置き部の上面で回転することがなくなり、セードが取り付けやすいものとなる。またセードを取り外す際も、仮止め部材が仮置き部の上面で回転する範囲が少なくなるので、取り扱いやすいものとなる。
【００５２】
請求項７記載の発明にあっては、前記回転止め用当接壁と前記滑り落ち防止リブの間に前記回転止め用当接壁と対向する固定用リブを設け、前記仮置き部に前記凸状の載置部を載置した状態で、前記ホルダナットを締め付けることにより、前記固定用リブの下方を前記凸状の載置部が回転方向に通過して前記回転止め用当接壁で当接され、さらに、前記固定用リブと前記回転止め用当接壁との間で前記凸状の載置部が上昇するものであることにより、請求項６に記載した効果を奏するうえに、固定用リブの下方を凸状の載置部が回転方向に通過して回転止め用当接壁で当接され、さらに、固定用リブと回転止め用当接壁との間で凸状の載置部が上昇するものであることにより、さらに仮止め部材が仮置き部の上面で回転することがなくなるので、さらにセードが取り付けやすいものとなる。またセードを取り外す際も、仮止め部材が仮置き部の上面で回転する範囲がさらに少なくなるので、さらに取り扱いやすいものとなる。
【００５３】
請求項８記載の発明にあっては、前記凸状の載置部は、前記回転止め用当接壁に当接し、この回転止め用当接壁にガイドされながら前記仮止め部材が上昇するものであることにより、請求項７に記載した効果を奏するうえに、ガイドされている間は仮止め部材ががたつかず、さらに有用なものとできる。
【００５４】
請求項９記載の発明にあっては、前記滑り落ち防止リブの上に前記凸状の載置部を載せたときの前記凸状の載置部の上端の位置が前記固定用リブの下端の位置よりも高いものであることにより、請求項７又は８に記載した効果を奏するうえに、ホルダナットを緩めている途中で凸状の載置部が切り欠き部の上にくることがなくなるので、ホルダナットをソケットカバーより取り外すときにセードの重量が一気にかかるということがないものとなる。
【図面の簡単な説明】
【図１】本発明の第１の実施の形態に係る照明器具のセードの一部を切り欠いた分解斜視図である。
【図２】同上の照明器具の組み立て途中の図で、セードの一部を切り欠いた斜視図である。
【図３】同上の照明器具の組立てが終了した図で、セードの一部を切り欠いた斜視図である。
【図４】本発明の第２の実施の形態に係る照明器具の仮止め部材にソケットを挿通させる前の要部斜視図である。
【図５】同上の照明器具の仮止め部材が仮置き部に載置されるときの動きを説明する要部斜視図である。
【図６】同上の照明器具の仮止め部材が仮置き部に載置されてから取り付けが完了するまでを説明する要部斜視図である。
【図７】同上の照明器具の取り付け完了状態から仮止め部材が仮置き部に載置されるまでを説明する要部斜視図である。
【図８】同上の照明器具の仮止め部材が仮置き部から外されるときの動きを説明する要部斜視図である。
【図９】従来例に係る照明器具の分解斜視図である。
【図１０】同上の照明器具の要部を示した斜視図である。
【符号の説明】
２      ソケット
２ａ    ソケットカバー
２ｂ    ランプソケット
２ａａ  外ネジ部
２ａｂ  凹状溝
３      ホルダナット
４      セード
５      仮止め部材
５ａ    開口部
５ｂ    凸状の載置部
６      仮置き部
６ａ    切り欠き部
６ｂ    滑り落ち防止リブ
７      回転止め用当接壁
８      固定用リブ
【図１】
2004200086.tif 000003
【図２】
2004200086.tif 000004
【図３】
2004200086.tif 000005
【図４】
2004200086.tif 000006
【図５】
2004200086.tif 000007
【図６】
2004200086.tif 000008
【図７】
2004200086.tif 000009
【図８】
2004200086.tif 000010
【図９】
2004200086.tif 000011
【図１０】
2004200086.tif 000012